(57)【要約】【課題】シャーシに対する側板の軸受部の位置精度を向上させることが可能な画像形成装置を提供する。【解決手段】この熱転写プリンタ（画像形成装置）では、シャーシ１に、側板２のプラテンローラ軸受部２ａを挿入する丸形形状の孔部１ｇを設けている。また、側板２に、側板２をシャーシ１に固定するための鈎形状の係止片２ｄ、２ｅおよび２ｆと、シャーシ１に対して位置決めをするためのボス部２ｃとを設けている。また、シャーシ１に、側板２の係止片２ｄ、２ｅおよび２ｆを係合する係止部１１ｉ、１１ｊおよび１１ｋと、側板２のボス部２ｃが係合されて位置決めをする位置決め用の孔部１ｈを設けている。そして、側板２を所定の角度θ傾けた状態で、シャーシ１に当接させた後、側板２をプラテンローラ軸受部２ａを回動中心として回動させることにより、側板２を、シャーシ１に取り付ける。【選択図】図６
2006337890.tif 000002
【特許請求の範囲】
【請求項１】
印字ヘッドが取り付けられる側面部を有するシャーシと、前記シャーシの側面部に取り付けられ、回転軸を支持する軸受部が一体的に設けられた側板と、前記印字ヘッドが押圧されるプラテンローラとを備えた画像形成装置において、
前記側板に設けられた軸受部は、前記プラテンローラの回転軸を支持するためのプラテンローラ軸受部であり、
前記シャーシの側面部には、前記側板を前記側板の軸受部が挿入される丸形形状の孔部が設けられており、
前記側板には、前記シャーシの側面部に固定するための鈎形状の係止片と、前記シャーシの側面部に対して位置決めをするための凸部とが設けられており、
前記シャーシの側面部は、切欠部と、前記切欠部の近傍に設けられ、前記側板の軸受部が前記シャーシの側面部の丸形形状の孔部に挿入された状態で前記側板を回動された場合に、前記係止片と係合する係止部と、前記側板の凸部が係合されて位置決めをするための凹部とをさらに含み、
前記側板を前記シャーシの側面部に対して所定の角度回動した位置で当接させることにより、前記側板の鈎形状の係止片が前記シャーシの切欠部に挿入された後、前記側板の軸受部を回動中心として前記側板を回動させることにより、前記側板の鈎形状の係止片が前記シャーシの係止部に係合される、画像形成装置。
【請求項２】
印字ヘッドが取り付けられる側面部を有するシャーシと、
前記シャーシの側面部に取り付けられ、回転軸を支持する軸受部が一体的に設けられた側板とを備え、
前記シャーシの側面部には、前記側板の軸受部が挿入される丸形形状の孔部が設けられており、
前記側板および前記シャーシの側面部の一方には、前記側板を前記シャーシの側面部に固定するための係止片が設けられており、
前記側板および前記シャーシの側面部の他方には、前記側板の軸受部が前記シャーシの側面部の丸形形状の孔部に挿入された状態で前記側板を回動させることにより、前記係止片と係合する係止部が設けられている、画像形成装置。
【請求項３】
前記側板は、前記シャーシの側面部に対して位置決めをするための凸部をさらに含み、
前記シャーシの側面部は、前記側板の凸部が係合されて位置決めをするための凹部をさらに含む、請求項２に記載の画像形成装置。
【請求項４】
前記シャーシの側面部は、切欠部と、前記切欠部の近傍に設けられた前記係止部とを含み、
前記側板は、前記係止部に係合する鈎形状の前記係止片を含み、
前記側板を前記シャーシの側面部に対して所定の角度回動した位置で当接させることにより、前記側板の鈎形状の係止片が前記シャーシの切欠部に挿入された後、前記側板の軸受部を回動中心として前記側板を回動させることにより、前記側板の鈎形状の係止片が前記シャーシの係止部に係合される、請求項２または３に記載の画像形成装置。
【請求項５】
前記印字ヘッドが押圧されるプラテンローラをさらに備え、
前記側板に設けられた軸受部は、前記プラテンローラの回転軸を支持するためのプラテンローラ軸受部である、請求項２〜４のいずれか１項に記載の画像形成装置。
【発明の詳細な説明】
【技術分野】
【０００１】
この発明は、画像形成装置に関し、特に、シャーシの側面部に側板を備えた画像形成装置に関する。
【背景技術】
【０００２】
従来、プリンタのシャーシの側面部に取り付けられる回転軸の軸受部材の構造が知られている（たとえば、特許文献１および２参照）。
【０００３】
上記特許文献１および２には、回転軸を支持する軸受部とシャーシの側面部に固定するための係止片と位置決めのための凸部とを有する軸受部材において、軸受部材の軸受部と係止片とをシャーシの側面部に設けられた孔部に挿入し、軸受部材を回動させることにより、軸受部の係止片をシャーシの側面部に係合させるとともに、位置決めのための凸部をシャーシの側面部に設けられた凹部に係合させることによって、シャーシの側面部に軸受部材を取り付けることが可能な、軸受部材の構造が記載されている。
【０００４】
しかしながら、特許文献１および２に記載の軸受部材では、シャーシの側面部を覆う側板を取り付けるためには、軸受部材とは別体で設けた側板を取り付けなければならないという不都合がある。このため、シャーシの側面部に側板を取り付ける場合には、軸受部材とは別個に、側板を取り付ける必要があるため、部品点数が増加するという問題点がある。
【０００５】
そこで、従来、画像形成装置の一例として、回転軸を支持する軸受部が一体に設けられた側板がシャーシの側面部に取り付けられた熱転写プリンタが提案されている。図１５は、従来の提案された熱転写プリンタの全体構成を示す全体斜視図である。図１６は、図１５に示した従来の熱転写プリンタの分解斜視図である。図１７は、図１５に示した従来の熱転写プリンタのシャーシの側面部を示す正面図である。図１８は、図１５に示した従来の熱転写プリンタのシャーシの側面部に取り付けられる側板の正面図である。まず、図１５〜図１８を参照して、従来の提案された熱転写プリンタの構造について説明する。
【０００６】
従来の熱転写プリンタでは、図１５および図１６に示すように、金属製のシャーシ１０１と、樹脂製の側板１０２と、プラテンローラ１０３と、紙送りローラ１０４と、プラテンローラ軸受部材１０５と、紙送りローラ軸受部材１０６とを備えている。シャーシ１０１は、互いに対向する一方側面部１０１ａおよび他方側面部１０１ｂを有している。このシャーシ１０１の一方側面部１０１ａには、図１６および図１７に示すように、インクシートカートリッジ（図示せず）を挿入するためのインクシートカートリッジ挿入孔部１０１ｃと、長孔形状の孔部１０１ｄと、位置決め用の孔部１０１ｅとが設けられている。また、インクシートカートリッジ挿入孔部１０１ｃには、後述する側板１０２の紙送りローラ軸受部１０２ｂが挿入される切込部１０１ｆが設けられている。また、図１７に示すように、シャーシ１０１の一方側面部１０１ａには、階段状の第１切欠部１０１ｇおよび第２切欠部１１１ｇと、階段状の第１切欠部１０１ｈおよび第２切欠部１１１ｈと、矩形状の切欠部１０１ｉとが設けられている。また、階段状の第１切欠部１０１ｇおよび第２切欠部１１１ｇの近傍には、係止部１２１ｇが設けられており、階段状の第１切欠部１０１ｈおよび第２切欠部１１１ｈの近傍には、係止部１２１ｈが設けられている。また、シャーシ１０１の他方側面部１０１ｂには、プラテンローラ１０３を支持するためのプラテンローラ軸受部材１０５と、紙送りローラ１０４を支持するための紙送りローラ軸受部材１０６とが取り付けられている。
【０００７】
また、図１６および図１８に示すように、樹脂製の側板１０２のシャーシ１０１に取り付けられる側には、プラテンローラ１０３を支持するプラテンローラ軸受部１０２ａと、紙送りローラ１０４を支持する紙送りローラ軸受部１０２ｂと、シャーシ１０１の一方側面部１０１ａに対して位置決めを行うためのボス部１０２ｃと、シャーシ１０１の一方側面部１０１ａに側板１０２を取り付けるための鈎形状の係止片１０２ｄ、１０２ｅおよび１０２ｆとが、側板１０２から突出するように一体的に設けられている。また、係止片１０２ｄおよび１０２ｅは、鈎部１１２ｄおよび１１２ｅが上側に垂直にそれぞれ延びるように、側板１０２に設けられている。また、係止片１０２ｆは、鈎部１１２ｆが水平方向に延びるように、側板１０２に設けられている。また、シャーシ１０１の一方側面部１０１ａに対して位置決めを行うためのボス部１０２ｃは、図１８に示すように、プラテンローラ軸受部１０２ａから距離Ａだけ離れた位置に設けられている。また、側板１０２には、側板１０２がシャーシ１０１の一方側面部１０１ａに取り付けられた際に、インクシートカートリッジ（図示せず）が挿入されるための切込部１０２ｇが設けられている。
【０００８】
図１９および図２０は、図１５に示した従来の熱転写プリンタのシャーシの側面部に側板を取り付ける方法を説明するための正面図である。次に、図１６、図１９および図２０を参照して、シャーシ１０１の一方側面部１０１ａに、側板１０２を取り付けるための取り付け方法について説明する。
【０００９】
まず、図１９に示すように、シャーシ１０１の一方側面部１０１ａに対して距離Ｂだけずらした状態で、側板１０２をシャーシ１０１の一方側面部１０１ａに対して平行に当接させる。この際、側板１０２のプラテンローラ軸受部１０２ａは、シャーシ１０１の一方側面部１０１ａの長孔形状の孔部１０１ｄに挿入される。また、側板１０２の紙送りローラ軸受部１０２ｂは、シャーシ１０１の一方側面部１０１ａの切込部１０１ｆに挿入される。また、側板１０２の係止片１０２ｄおよび１０２ｅは、シャーシ１０１の第１切欠部１０１ｇおよび１０１ｈにそれぞれ挿入されるとともに、係止片１０２ｆは、切欠部１０１ｉに挿入される。この状態では、側板１０２のボス部１０２ｃは、シャーシ１０１の一方側面部１０１ａに設けた位置決め用の孔部１０１ｅには、挿入されていない。
【００１０】
次に、側板１０２を、図１９の矢印Ｃ方向（水平方向）にスライド移動させる。それにより、側板１０２のプラテンローラ軸受部１０２ａおよび紙送りローラ軸受部１０２ｂも、側板１０２とともに移動する。そして、側板１０２の位置決め用のボス部１０２ｃがシャーシ１０１の一方側面部１０１ａの位置決め用の孔部１０１ｅに係合される。この側板１０２の矢印Ｃ方向へのスライド移動によって、係止片１０２ｄおよび１０２ｅは、第１切欠部１０１ｇおよび１０１ｈから第２切欠部１１１ｇおよび１１１ｈにそれぞれ移動されて係止部１２１ｇおよび１２１ｈとそれぞれ係合される。また、係止片１０２ｆも、側板１０２の矢印Ｃ方向へのスライド移動によって、切欠部１０１ｉから切欠部１０１ｉに設けられた係止部１１１ｉに移動して係合される。このようにして、側板１０２がシャーシ１０１の一方側面部１０１ａに取り付けられるとともに、側板１０２の位置決め用のボス部１０２ｃが、シャーシ１０１の一方側面部１０１ａに設けられた位置決め用の位置決め用の孔部１０１ｅに係合することにより、シャーシ１０１の一方側面部１０１ａに対して側板１０２が位置決めされる。この状態では、図２０に示すように、側板１０２のプラテンローラ軸受部１０２ａは、シャーシ１０１の一方側面部１０１ａに設けた長穴形状の孔部１０１ｄのスライド方向の端部とは当接しておらず、隙間Ｄを有している。また、紙送りローラ軸受部１０２ｂは、シャーシ１０１の一方側面部１０１ａに設けた切込部１０１ｆのスライド方向の端部とは当接しておらず、隙間Ｅを有している。
【特許文献１】登録実用新案第３０６０４７１号公報
【特許文献２】登録実用新案第３０６０９４９号公報
【発明の開示】
【発明が解決しようとする課題】
【００１１】
しかしながら、図１５〜図２０に示した従来の熱転写プリンタでは、側板１０２の位置決め用のボス部１０２ｃがシャーシ１０１の一方側面部１０１ａの孔部１０１ｅと係合することにより、側板１０２のスライド方向の位置決めが行われるので、プラテンローラ軸受部１０２ａと長孔形状の孔部１０１ｄのスライド方向の端部との間に隙間Ｄを有するという不都合がある。このため、プラテンローラ軸受部１０２ａは、孔部１０１ｄのスライド方向の端部と当接して位置決めをすることができないので、シャーシ１０１の一方側面部１０１ａに対してプラテンローラ軸受部１０２ａの位置決め精度を向上させることが困難であるという問題点がある。
【００１２】
この発明は、上記のような課題を解決するためになされたものであり、この発明の１つの目的は、シャーシに対する側板の軸受部の位置精度を向上させることが可能な画像形成装置を提供することである。
【課題を解決するための手段】
【００１３】
この発明の第１の局面における画像形成装置は、印字ヘッドが取り付けられる側面部を有するシャーシと、シャーシの側面部に取り付けられ、回転軸を支持する軸受部が一体的に設けられた側板と、印字ヘッドが押圧されるプラテンローラとを備えた画像形成装置において、側板に設けられた軸受部は、プラテンローラの回転軸を支持するためのプラテンローラ軸受部であり、シャーシの側面部には、側板の軸受部が挿入される丸形形状の孔部が設けられており、側板には、側板をシャーシの側面部に固定するための鈎形状の係止片と、シャーシの側面部に対して位置決めをするための凸部とが設けられており、シャーシの側面部は、切欠部と、切欠部の近傍に設けられ、側板の軸受部がシャーシの側面部の丸形形状の孔部に挿入された状態で側板を回動された場合に、係止片と係合する係止部と、側板の凸部が係合されて位置決めをするための凹部とをさらに含み、側板をシャーシの側面部に対して所定の角度回動した位置で当接させることにより、側板の鈎形状の係止片がシャーシの切欠部に挿入された後、側板の軸受部を回動中心として側板を回動させることにより、側板の鈎形状の係止片がシャーシの係止部に係合される。なお、本発明における「印字ヘッド」は、印字のみならず、印画を行う機能も有する。
【００１４】
この第１の局面による画像形成装置では、上記のように、シャーシの側面部に、側板の軸受部が挿入される丸形形状の孔部を設け、側板に、側板をシャーシの側面部に固定するための鈎形状の係止片を設け、シャーシの側面部に、側板の軸受部をシャーシの側面部の丸形形状の孔部に挿入した状態で側板を回動させて、係止片を係合させるための係止部を設けることにより、側板は、シャーシの側面部に設けた丸形形状の孔部で軸受部を回動中心として回動するため、回動中心となる軸受部は水平方向および垂直方向には移動しない。このため、側板を係止片によりシャーシの側面部に取り付ける際に、軸受部の水平方向および垂直方向の位置が移動することがないので、シャーシの側面部に対する軸受部の位置決め精度を向上させることができる。また、側板を、シャーシの側面部に対して回動方向の位置決めをするための凸部を含み、シャーシの側面部を、側板の凸部が係合されて回動方向の位置決めをするための凹部を含むように構成することにより、側板がシャーシの側面部に対して、側板が所定の回動位置で固定されるので、側板が回動して係止片が係止部から外れるのを抑制することができる。また、シャーシの側面部は、切欠部と、切欠部の近傍に設けられた係止部とを含み、側板は、係止部に係合する鈎形状の係止片を含み、側板をシャーシの側面部に対して所定の角度回動した位置で当接させることにより、側板の鈎形状の係止片がシャーシの切欠部に挿入された後、側板の軸受部を回動中心として側板を回動させることにより、側板の鈎形状の係止片がシャーシの係止部に係合されるように構成することにより、側板をシャーシの側面部に取り付けるために、側板から突出する係止片を設けたとしても、側板を所定の角度回動させた状態でシャーシの側面部に対して
容易に当接させた状態にすることができるので、その状態から、側板の軸受部を回動中心として側板を回動させれば、容易に、側板の係止片をシャーシの側面部の係止部に係合させることができる。また、側板に設けられた軸受部を、プラテンローラの回転軸を支持するためのプラテンローラ軸受部とすることにより、印字精度に影響を及ぼすプラテンローラの位置精度を向上させることができるので、印字品質を向上させることができる。
【００１５】
この発明の第２の局面における画像形成装置は、印字ヘッドが取り付けられる側面部を有するシャーシと、シャーシの側面部に取り付けられ、回転軸を支持する軸受部が一体的に設けられた側板とを備え、シャーシの側面部には、側板の軸受部が挿入される丸形形状の孔部が設けられており、側板およびシャーシの側面部の一方には、側板をシャーシの側面部に固定するための係止片が設けられており、側板およびシャーシの側面部の他方には、側板の軸受部がシャーシの側面部の丸形形状の孔部に挿入された状態で側板を回動させることにより、係止片と係合する係止部が設けられている。なお、本発明における「印字ヘッド」は、印字のみならず、印画を行う機能も有する。
【００１６】
この第２の局面による画像形成装置では、上記のように、シャーシの側面部に、側板の軸受部が挿入される丸形形状の孔部を設け、側板およびシャーシの側面部の一方に、側板をシャーシの側面部に固定するための係止片を設け、側板およびシャーシの側面部の他方に、側板の軸受部をシャーシの側面部の丸形形状の孔部に挿入された状態で側板を回動させて、係止片を係合させるための係止部を設けることにより、側板は、シャーシの側面部に設けた丸形形状の孔部で軸受部を回動中心として回動するため、回動中心となる軸受部は水平方向および垂直方向には移動しない。このため、側板を係止片によりシャーシの側面部に取り付ける際に、軸受部の水平方向および垂直方向の位置が移動することがないので、シャーシの側面部に対する軸受部の位置決め精度を向上させることができる。
【００１７】
上記第２の局面による画像形成装置において、好ましくは、側板は、シャーシの側面部に対して位置決めをするための凸部をさらに含み、シャーシの側面部は、側板の凸部が係合されて位置決めをするための凹部をさらに含む。このように構成すれば、側板がシャーシの側面部に対して、側板が所定の回動位置で固定されるので、側板が回動して係止片が係止部から外れるのを抑制することができる。
【００１８】
上記第２の局面による画像形成装置において、好ましくは、シャーシの側面部は、切欠部と、切欠部の近傍に設けられた係止部とを含み、側板は、係止部に係合する鈎形状の係止片を含み、側板をシャーシの側面部に対して所定の角度回動した位置で当接させることにより、側板の鈎形状の係止片がシャーシの切欠部に挿入された後、側板の軸受部を回動中心として側板を回動させることにより、側板の鈎形状の係止片がシャーシの係止部に係合される。このように構成すれば、側板をシャーシの側面部に取り付けるために、側板から突出する係止片を設けたとしても、側板を所定の角度回動させた状態でシャーシの側面部に対して容易に当接させた状態にすることができるので、その状態から、側板の軸受部を回動中心として側板を回動させれば、容易に、側板の係止片をシャーシの側面部の係止部に係合させることができる。
【００１９】
上記第２の局面による画像形成装置において、好ましくは、印字ヘッドが押圧されるプラテンローラをさらに備え、側板に設けられた軸受部は、プラテンローラの回転軸を支持するためのプラテンローラ軸受部である。このように構成すれば、印字精度に影響を及ぼすプラテンローラの位置精度を向上させることができるので、印字品質を向上させることができる。
【発明を実施するための最良の形態】
【００２０】
以下、本発明を具体化した実施形態を図面に基づいて説明する。
【００２１】
図１は、本発明の一実施形態による熱転写プリンタの全体構成を示した斜視図である。図２は、図１に示した本発明の一実施形態による熱転写プリンタから印字ヘッドを取り除いた状態の斜視図である。図３は、図１に示した本発明の一実施形態による熱転写プリンタのシャーシの側面部を示した正面図である。図４は、図１に示した本発明の一実施形態による熱転写プリンタの側板の斜視図である。図５は、図１に示した本発明の一実施形態による熱転写プリンタの側板の正面図である。図６〜図８は、本実施形態による熱転写プリンタの側板の取り付け状態を説明するための斜視図である。図１〜図８を参照して、本実施形態による熱転写プリンタの構造について説明する。なお、本実施形態では、画像形成装置の一例である熱転写プリンタに本発明を適用した場合について説明する。
【００２２】
本実施形態による熱転写プリンタは、図１および図２に示すように、金属製のシャーシ１と、シャーシ１の側面部に取り付けられる樹脂製の側板２と、印字（印画）を行うための印字ヘッド３と、印字ヘッド３に対向するように配置されたプラテンローラ４と、紙送りローラ５と、プラテンローラ軸受部材６と、紙送りローラ軸受部材７とを備えている。
【００２３】
シャーシ１は、互いに対向するように配置された一方側面部１ａおよび他方側面部１ｂを備えるとともに、一方側面部１ａと他方側面部１ｂとを連結する底面部１ｃを有している。このシャーシ１の一方側面部１ａおよび他方側面部１ｂには、それぞれ、印字ヘッド３を回動可能に支持するための支持穴１ｄが設けられている。また、一方側面部１ａには、図３および図６に示すように、インクシートカートリッジ（図示せず）を挿入するためのインクシートカートリッジ挿入孔部１ｅが設けられている。また、インクシートカートリッジ挿入孔部１ｅには、側板２の紙送りローラ軸受部２ｂが挿入される切込部１ｆが設けられている。また、他方側面部１ｂには、プラテンローラ４および紙送りローラ５を支持するためのプラテンローラ軸受部材６と紙送りローラ軸受部材７とが取り付けられている。なお、シャーシ１の一方側面部１ａは、本発明の「シャーシの側面部」の一例である。
【００２４】
ここで、本実施形態では、シャーシ１の一方側面部１ａには、丸形形状の孔部１ｇと、回動方向の位置決め用の孔部１ｈとが設けられている。なお、孔部１ｈは、本発明の「凹部」の一例である。また、本実施形態では、図３に示すように、シャーシ１の一方側面部１ａに、矩形状の切欠部１ｉ、１ｊおよび１ｋが設けられている。また、矩形状の切欠部１ｉ、１ｊおよび１ｋの近傍には、後述する側板２の係止片２ｄ、２ｅおよび２ｆと係合する係止部１１ｉ、１１ｊおよび１１ｋが設けられている。また、図８に示すように、シャーシ１の底面部１ｃには、切欠部１ｊと連結する切欠部１ｍが設けられている。
【００２５】
また、図４および図８に示すように、樹脂製の側板２のシャーシ１に取り付けられる側には、プラテンローラ４を支持するプラテンローラ軸受部２ａと、紙送りローラ５を支持する紙送りローラ軸受部２ｂと、シャーシ１の一方側面部１ａに対して位置決めを行うためのボス部２ｃと、シャーシ１の一方側面部１ａに側板２を取り付けるための鈎形状の係止片２ｄ、２ｅおよび２ｆとが、側板２から突出するように一体的に設けられている。なお、ボス部２ｃは、本発明の「凸部」の一例である。また、係止片２ｄおよび２ｅは、図４および図５に示すように、鈎部２１ｄおよび２１ｅが上側に垂直にそれぞれ延びるように、側板２に設けられている。また、係止片２ｆは、鈎部２１ｆが水平方向に延びるように、側板２に設けられている。また、側板２には、側板２がシャーシ１の一方側面部１ａに取り付けられた際に、インクシートカートリッジ（図示せず）が挿入されるための切込部２ｇが設けられている。
【００２６】
また、図１に示すように、印字ヘッド３は、一対の支持軸３ａと、プラテンローラ４に対向するように配置されたヘッド部３ｂと、支持軸３ａとヘッド部３ｂとを連結する一対
のアーム部３ｃとを有している。この印字ヘッド３は、支持軸３ａを支点として回動可能に構成されている。すなわち、印字ヘッド３の一対の支持軸３ａは、それぞれ、シャーシ１の一方側面部１ａおよび他方側面部１ｂに回動可能に取り付けられている。なお、本実施形態の熱転写プリンタでは、プラテンローラ４とヘッド部３ｂとの間に、用紙（図示せず）とインクシート（図示せず）とを挟んだ状態で、印字ヘッド３によりインクシートを用紙に熱転写することにより、印字（印画）が行われる。
【００２７】
また、図２、図６および図７に示すように、プラテンローラ４および紙送りローラ５の一方端は、シャーシ１の一方側面部１ａに取り付けられた側板２のプラテンローラ軸受部２ａおよび紙送りローラ軸受部２ｂにそれぞれ回動可能に支持されている。また、プラテンローラ４および紙送りローラ５の他方端は、シャーシ１の他方側面部１ｂに取り付けられたプラテンローラ軸受部材６および紙送りローラ軸受部材７にそれぞれ回動可能に支持されている（図２参照）。
【００２８】
図９〜図１２は、本実施形態による熱転写プリンタのシャーシ１の側面部に側板２を取り付ける方法を説明するための正面図である。なお、図９および図１１は、熱転写プリンタの外面部（図７の矢印Ａ１方向）から見た正面図であり、図１０および図１２は、熱転写プリンタの内面側（図７の矢印Ｂ１方向）から見た正面図である。図１３は、図１１の２００−２００線および３００−３００線に沿った断面図である。図１４は、図１１の４００−４００線に沿った断面図である。次に、図６〜図１４を参照して、側板２のシャーシ１の一方側面部１ａへの取り付け方法について説明する。
【００２９】
側板２は、図６、図９および図１０に示すように、シャーシ１の一方側面部１ａに対して、所定の角度θだけ回動方向に傾けた状態で、シャーシ１の一方側面部１ａに当接させる。この際、側板２のプラテンローラ軸受部２ａを、シャーシ１の一方側面部１ａの丸形形状の孔部１ｇに挿入する。また、側板２の紙送りローラ軸受部２ｂを、シャーシ１の一方側面部１ａの切込部１ｆに挿入する。
【００３０】
ここで、本実施形態では、側板２の係止片２ｄおよび２ｆは、シャーシ１の一方側面部１ａに設けた切欠部１ｉおよび１ｋに挿入される。また、係止片２ｅは、シャーシ１の一方側面部１ａに設けた切欠部１ｊおよび切欠部１ｊと連結する底面部１ｃに設けた切欠部１ｍに挿入される。これにより、側板２を所定の角度θだけ回動方向に傾けた状態で、シャーシ１の一方側面部１ａに対して当接された状態となる。なお、この状態では、側板２のボス部２ｃは、シャーシ１の一方側面部１ａに設けた位置決め用の孔部１ｈには、挿入されていない。
【００３１】
次に、本実施形態では、図９に示すように、側板２を側板２に設けたプラテンローラ軸受部２ａを回動中心として矢印Ｃ１方向に回動させる。そして、側板２が図９の矢印Ｃ１方向に角度θだけ回動すると、側板２に設けた位置決め用のボス部２ｃが、シャーシ１の一方側面部１ａに設けた位置決め用の孔部１ｈと係合する。
【００３２】
また、側板２に設けた係止片２ｄ、２ｅおよび２ｆは、図８、図１１および図１２に示すように、位置決め用のボス部２ｃが孔部１ｈと係合するのと同時に、シャーシ１の一方側面部１ａの係止部１１ｉ、１１ｊおよび１１ｋとそれぞれ係止する。また、側板２の鈎形状の係止片２ｄ、２ｅおよび２ｆは、図１３および図１４に示すように、シャーシ１の一方側面部１ａの係止部１１ｉ、１１ｊおよび１１ｋに引っ掛かるように係合される。このようにして、側板２がシャーシ１の一方側面部１ａに取り付けられる。
【００３３】
本実施形態では、上記のように、シャーシ１の一方側面部１ａに、側板２のプラテンローラ軸受部２ａが挿入される丸形形状の孔部１ｇを設け、側板２に、側板２をシャーシ１
の一方側面部１ａに固定するための鈎状の係止片２ｄ、２ｅおよび２ｆを設け、シャーシ１の一方側面部１ａに、側板２のプラテンローラ軸受部２ａをシャーシ１の一方側面部１ａの丸形形状の孔部１ｇに挿入した状態で側板２を回動させて、係止片２ｄ、２ｅおよび２ｆを係合させるための係止部１１ｉ、１１ｊおよび１１ｋをそれぞれ設けることにより、側板２は、シャーシ１の一方側面部１ａに設けた丸形形状の孔部１ｇでプラテンローラ軸受部２ａを回動中心として回動するため、回動中心となるプラテンローラ軸受部２ａは水平方向および垂直方向には移動しない。このため、側板２を係止片２ｄ、２ｅおよび２ｆによりシャーシ１の一方側面部１ａに取り付ける際に、プラテンローラ軸受部２ａの水平方向および垂直方向の位置が移動することがないので、シャーシ１の一方側面部１ａに対するプラテンローラ軸受部２ａの位置決め精度を向上させることができる。その結果、印字精度に影響を及ぼすプラテンローラ４の位置精度を向上させることができるので、印字品質を向上させることができる。  
【００３４】
また、本実施形態では、側板２は、シャーシ１の一方側面部１ａに対して回動方向の位置決めをするためのボス部２ｃを含み、シャーシ１の一方側面部１ａを、側板２のボス部２ｃが係合されて回動方向の位置決めをするための位置決め用の孔部１ｈを含むように構成することにより、側板２がシャーシ１の一方側面部１ａに対して、側板２が所定の回動位置で固定されるので、側板２が回動して係止片２ｄ、２ｅおよび２ｆが係止部１１ｉ、１１ｊおよび１１ｋからそれぞれ外れるのを抑制することができる。  
【００３５】
また、本実施形態では、シャーシ１の一方側面部１ａは、切欠部１ｉ、１ｊおよび１ｋと、切欠部１ｉ、１ｊおよび１ｋの近傍に設けられた係止部１１ｉ、１１ｊおよび１１ｋとを含み、側板２は、係止部１１ｉ、１１ｊおよび１１ｋに係合する鈎形状の係止片２ｄ、２ｅおよび２ｆを含み、側板２をシャーシ１の一方側面部１ａに対して所定の角度θだけ回動させた位置で当接させることにより、側板２の鈎形状の係止片２ｄ、２ｅおよび２ｆがシャーシ１の切欠部１ｉ、１ｊおよび１ｋに、それぞれ挿入された後、側板２のプラテンローラ軸受部２ａを回動中心として側板２を回動させることにより、側板２の鈎形状の係止片２ｄ、２ｅおよび２ｆをシャーシ１の係止部１１ｉ、１１ｊおよび１１ｋに係合されるように構成することにより、側板２をシャーシ１の一方側面部１ａに取り付けるために、側板２から突出する係止片２ｄ、２ｅおよび２ｆを設けたとしても、側板２を所定の角度θだけ回動させた状態でシャーシ１の一方側面部１ａに対して容易に当接させた状態にすることができるので、その状態から、側板２のプラテンローラ軸受部２ａを回動中心として側板２を回動させれば、容易に、側板２の係止片２ｄ、２ｅおよび２ｆをシャーシ１の一方側面部１ａの係止部１１ｉ、１１ｊおよび１１ｋに、それぞれ係合させることができる。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、画像形成装置の一例として熱転写プリンタを示したが、本発明はこれに限らず、シャーシの側面部に側板を備えた画像形成装置であれば、熱転写プリンタ以外の他の画像形成装置にも適用可能である。
【００３８】
また、上記実施形態では、側板のプラテンローラ軸受部をシャーシの一方側面部に設けた丸形形状の孔部に挿入し、プラテンローラ軸受部を回動中心として側板を回動させて側板をシャーシの一方側面部に取り付ける例を示したが、本発明はこれに限らず、シャーシの一方側面部に紙送りローラ軸受部を挿入する丸形形状の孔部を設けるとともに、その孔部に紙送りローラ軸受部を挿入し、紙送りローラ軸受部を回動中心として側板を回動させ
て側板をシャーシの一方側面部に取り付けるように構成してもよい。
【００３９】
また、上記実施形態では、側板に位置決め用のボス部（凸部）を設け、シャーシの一方側面部に、側板のボス部（凸部）が挿入される位置決め用の孔部（凹部）を設けた例を示したが、本発明はこれに限らず、側板に位置決め用の孔部（凹部）を設け、シャーシの一方側面部に、側板の孔部（凹部）に挿入する位置決め用のボス部（凸部）を設けるように構成してもよい。
【００４０】
また、上記実施形態では、シャーシの一方側面部に、側板の係止片が挿入される矩形状の切欠部を設けることにより、側板を所定の角度回動させて傾けた状態で、側板をシャーシの一方側面部の表面に当接した状態にすることが可能なように構成する例を示したが、本発明はこれに限らず、同様の機能を有する切欠部であれば、矩形状以外の形状の切欠部であってもかまわない。
【００４１】
また、上記実施形態では、側板に鈎形状の係止片を設けた例を示したが、本発明はこれに限らず、シャーシの一方側面部に係止して、側板をシャーシの一方側面部に取り付けることができれば、鈎形状以外の形状の係止片であってもよい。たとえば、切り込みが設けられた丸棒状の係止片であってもよい。
【図面の簡単な説明】
【００４２】
【図１】本発明の一実施形態による熱転写プリンタの全体構成を示した斜視図である。
【図２】図１に示した本発明の一実施形態による熱転写プリンタから印字ヘッドを取り除いた状態の全体斜視図である。
【図３】図１に示した本発明の一実施形態による熱転写プリンタのシャーシの側面部を示した正面図である。
【図４】図１に示した本発明の一実施形態による熱転写プリンタの側板の斜視図である。
【図５】図１に示した本発明の一実施形態による熱転写プリンタの側板の正面図である。
【図６】図１に示した本発明の一実施形態による熱転写プリンタの分解斜視図である。
【図７】図１に示した本発明の一実施形態による熱転写プリンタの側板が取り付けられた状態の斜視図である。
【図８】図１に示した本発明の一実施形態による熱転写プリンタの側板が取り付けられた状態の熱転写プリンタの内面側から見た斜視図である。
【図９】図１に示した本発明の一実施形態による熱転写プリンタのシャーシの側面部に側板を取り付ける方法を説明するための熱転写プリンタの外面側から見た正面図である。
【図１０】図１に示した本発明の一実施形態による熱転写プリンタのシャーシの側面部に側板を取り付ける方法を説明するための熱転写プリンタの内面側から見た正面図である。
【図１１】図１に示した本発明の一実施形態による熱転写プリンタのシャーシの側面部に側板を取り付ける方法を説明するための熱転写プリンタの外面側から見た正面図である。
【図１２】図１に示した本発明の一実施形態による熱転写プリンタのシャーシの側面部に側板を取り付ける方法を説明するため熱転写プリンタの内面側から見た正面図である。
【図１３】図１１の２００−２００線および３００−３００線に沿った断面図である。
【図１４】図１１の４００−４００線に沿った断面図である。
【図１５】従来の提案された熱転写プリンタの全体構成を示す全体斜視図である。
【図１６】図１５に示した従来の熱転写プリンタの分解斜視図である。
【図１７】図１５に示した従来の熱転写プリンタのシャーシの側面部を示す正面図である。
【図１８】図１５に示した従来の熱転写プリンタのシャーシの側面部に取り付けられる側板の正面図である。
【図１９】図１５に示した従来の熱転写プリンタのシャーシの側面部に側板を取り付ける方法を説明するための正面図である。
【図２０】図１５に示した従来の熱転写プリンタのシャーシの側面部に側板を取り付ける方法を説明するための正面図である。
【符号の説明】
【００４３】
１        シャーシ
１ａ      一方側面部
１ｈ      孔部（凹部）
１ｉ、１ｊ、１ｋ  切欠部
１１ｉ、１１ｊ、１１ｋ  係止部
１ｇ      孔部
２        側板
２ａ      プラテンローラ軸受部
２ｄ、２ｅ、２ｆ  係止片
２ｃ      ボス部（凸部）
４        プラテンローラ
【図１】
2006337890.tif 000003
【図２】
2006337890.tif 000004
【図３】
2006337890.tif 000005
【図４】
2006337890.tif 000006
【図５】
2006337890.tif 000007
【図６】
2006337890.tif 000008
【図７】
2006337890.tif 000009
【図８】
2006337890.tif 000010
【図９】
2006337890.tif 000011
【図１０】
2006337890.tif 000012
【図１１】
2006337890.tif 000013
【図１２】
2006337890.tif 000014
【図１３】
2006337890.tif 000015
【図１４】
2006337890.tif 000016
【図１５】
2006337890.tif 000017
【図１６】
2006337890.tif 000018
【図１７】
2006337890.tif 000019
【図１８】
2006337890.tif 000020
【図１９】
2006337890.tif 000021
【図２０】
2006337890.tif 000022